(57)【要約】【課題】操作に関するユーザビリティが向上する電気式毛切断装置のアタッチメントを提供する。【解決手段】電気式毛切断装置１０のアタッチメント５０は、ヘッド部２０に設けられる固定刃２２Ａに対する可動刃２３Ａの移動方向と、ヘッド部２０を支持するグリップ部３０の長手方向とのなす角度Ａが鋭角、または、可動刃２３Ａの移動方向とグリップ部３０の長手方向とが平行となるように構成される電気式毛切断装置１０に装着可能である。アタッチメント５０は固定刃２２Ａと可動刃２３Ａとの間に導入される毛の長さである切断長さを調節できる。アタッチメント５０はヘッド部２０を覆うようにヘッド部２０に取り付け可能な取付部、切断長さが変更されるように取付部に対してスライド可能な状態で取付部に取り付けられるスライド部７０、および、固定刃２２Ａと可動刃２３Ａとの間に毛を案内できるようにスライド部７０に設けられる櫛７１を含む。【選択図】図１
2018117911.tif 000002
【特許請求の範囲】
【請求項１】
ヘッド部に設けられる固定刃に対する可動刃の移動方向と、前記ヘッド部を支持するグリップ部の長手方向とのなす角度が鋭角、または、前記移動方向と前記長手方向とが平行となるように構成される電気式毛切断装置に装着可能であり、前記固定刃と前記可動刃との間に導入される毛の長さである切断長さを調節する電気式毛切断装置のアタッチメントであって、
前記ヘッド部を覆うように前記ヘッド部に取り付け可能な取付部と、
前記切断長さが変更されるように前記取付部に対してスライド可能な状態で前記取付部に取り付けられるスライド部と、
前記固定刃と前記可動刃との間に毛を案内できるように前記スライド部に設けられる櫛とを含む
電気式毛切断装置のアタッチメント。
【請求項２】
前記スライド部を前記取付部に対して移動させるために操作される操作部をさらに含む
請求項１に記載の電気式毛切断装置のアタッチメント。
【請求項３】
前記操作部は前記取付部に対して前記櫛とは反対側に設けられる
請求項２に記載の電気式毛切断装置のアタッチメント。
【請求項４】
前記操作部は前記取付部に対して回転可能なリングを含む
請求項２または３に記載の電気式毛切断装置のアタッチメント。
【請求項５】
前記リングの回転運動を前記スライド部の並進運動に変換する運動変換部をさらに含む
請求項４に記載の電気式毛切断装置のアタッチメント。
【請求項６】
前記運動変換部は螺旋状の溝と、前記溝内を移動できるように前記溝に挿入される凸部とを含み、
前記螺旋状の溝および前記凸部の一方は前記リングの内周面に設けられ、
前記螺旋状の溝および前記凸部の他方は前記スライド部の外面に設けられる
請求項５に記載の電気式毛切断装置のアタッチメント。
【請求項７】
前記スライド部を支持可能な支持部をさらに含み、
前記支持部は前記取付部と、前記固定刃および前記可動刃の長手方向に沿って前記固定刃および前記可動刃と相対的に移動することにより前記ヘッド部を前記取付部に挿入可能に設けられた開口部とを含む
請求項１〜６のいずれか一項に記載の電気式毛切断装置のアタッチメント。
【請求項８】
前記櫛は毛を立たせることができるように前記櫛の先端部に設けられた起毛部を含み、
前記起毛部は前記櫛の根元側から前記櫛の先端側に向かうにつれて前記固定刃および前記可動刃に対して反対側に傾斜する斜面を含む
請求項１〜７のいずれか一項に記載の電気式毛切断装置のアタッチメント。
【請求項９】
複数の前記櫛を含み、
前記複数の櫛は、前記固定刃および前記可動刃の長手方向に整列し、前記固定刃および前記可動刃に対して一方の側部に設けられる第１櫛群と、前記固定刃および前記可動刃の長手方向に整列し、前記固定刃および前記可動刃に対して他方の側部に設けられる第２櫛群とを含み、前記第１櫛群に含まれる前記櫛の先端部と前記第２櫛群に含まれる前記櫛の先端部との間に前記固定刃および前記可動刃を配置可能である
請求項１〜８のいずれか一項に記載の電気式毛切断装置のアタッチメント。
【請求項１０】
複数の前記櫛を含み、
前記複数の櫛は、前記固定刃および前記可動刃の長手方向に整列し、前記固定刃および前記可動刃に対して一方の側部に設けられる第１櫛群と、前記固定刃および前記可動刃の長手方向に整列し、前記固定刃および前記可動刃に対して他方の側部に設けられる第２櫛群と、前記固定刃および前記可動刃を覆うように前記第１櫛群に含まれる前記櫛の先端部と前記第２櫛群に含まれる前記櫛の先端部とを繋げる連結部とを含む
請求項１〜９のいずれか一項に記載の電気式毛切断装置のアタッチメント。
【請求項１１】
前記取付部は、髭および頭髪の切断に適した大きさを有する前記電気式毛切断装置の前記ヘッド部に取り付け可能である
請求項１〜１０のいずれか一項に記載の電気式毛切断装置のアタッチメント。
【発明の詳細な説明】
【技術分野】
【０００１】
本発明は電気式毛切断装置のアタッチメントに関する。
【背景技術】
【０００２】
電気式毛切断装置のアタッチメントの一例として、主に眉毛の切断に用いられる電気式毛切断装置のヘッド部に取り付け可能なアタッチメントが知られている。このアタッチメントがヘッド部に取り付けられた場合、ヘッド部に対するアタッチメントの位置に応じて切断長さが決められる。非特許文献１は従来の電気式毛切断装置のアタッチメントの一例を開示している。
【先行技術文献】
【非特許文献】
【０００３】
【非特許文献１】パナソニック株式会社、″フェリエ  フェイス用  ES-WF60″、［online］、［平成２８年１１月２３日検索］、インターネット〈URL：http://panasonic.jp/face/products/ES-WF60/〉
【発明の概要】
【発明が解決しようとする課題】
【０００４】
上記アタッチメントによれば、切断長さを変更する場合に取付部をヘッド部から取り外す必要がある。このため、操作性の点に関して改善の余地がある。
【課題を解決するための手段】
【０００５】
本発明に関する電気式毛切断装置のアタッチメントの一形態は、ヘッド部に設けられる固定刃に対する可動刃の移動方向と、前記ヘッド部を支持するグリップ部の長手方向とのなす角度が鋭角、または、前記移動方向と前記長手方向とが平行となるように構成される電気式毛切断装置に装着可能であり、前記固定刃と前記可動刃との間に導入される毛の長さである切断長さを調節する電気式毛切断装置のアタッチメントであって、前記ヘッド部を覆うように前記ヘッド部に取り付け可能な取付部と、前記切断長さが変更されるように前記取付部に対してスライド可能な状態で前記取付部に取り付けられるスライド部と、前記固定刃と前記可動刃との間に毛を案内できるように前記スライド部に設けられる櫛とを含む。
【発明の効果】
【０００６】
本発明に関する電気式毛切断装置のアタッチメントによれば、操作に関するユーザビリティが向上する。
【図面の簡単な説明】
【０００７】
【図１】実施の形態の電気式毛切断装置およびアタッチメントを示す側面図。
【図２】図１の電気式毛切断装置の内部の構造を示す側面図。
【図３】図１の刃ユニットの内面を示す正面図。
【図４】図１のアタッチメントの分解斜視図。
【図５】図４のリングの内周面の一部を示す断面図。
【図６】図１のＤ６−Ｄ６線に沿う断面図。
【図７】図１の電気式毛切断装置の第１使用形態の一例を示す側面図。
【図８】図７のＤ８−Ｄ８線に沿う断面図。
【図９】図１の電気式毛切断装置の第２使用形態の一例を示す側面図。
【図１０】図１の電気式毛切断装置の使用方法の一例を示す斜視図。
【図１１】変形例のアタッチメントが装着された電気式毛切断装置の斜視図。
【発明を実施するための形態】
【０００８】
（電気式毛切断装置のアタッチメントが取り得る形態の一例）
〔１〕本発明に関する電気式毛切断装置のアタッチメントの一形態は、ヘッド部に設けられる固定刃に対する可動刃の移動方向と、前記ヘッド部を支持するグリップ部の長手方向とのなす角度が鋭角、または、前記移動方向と前記長手方向とが平行となるように構成される電気式毛切断装置に装着可能であり、前記固定刃と前記可動刃との間に導入される毛の長さである切断長さを調節する電気式毛切断装置のアタッチメントであって、前記ヘッド部を覆うように前記ヘッド部に取り付け可能な取付部と、前記切断長さが変更されるように前記取付部に対してスライド可能な状態で前記取付部に取り付けられるスライド部と、前記固定刃と前記可動刃との間に毛を案内できるように前記スライド部に設けられる櫛とを含む。電気式毛切断装置のアタッチメントがヘッド部に取り付けられた状態においてスライド部を取付部に対してスライドさせることができるため、ユーザが切断長さを容易に調節できる。このため、操作に関するユーザビリティが高められる。
【０００９】
〔２〕前記電気式毛切断装置のアタッチメントの一例によれば、前記スライド部を前記取付部に対して移動させるために操作される操作部をさらに含む。このため、操作に関するユーザビリティが高められる。
【００１０】
〔３〕前記電気式毛切断装置のアタッチメントの一例によれば、前記操作部は前記取付部に対して前記櫛とは反対側に設けられる。このため、アタッチメントが装着された電気式毛切断装置を用いて対象部位の毛を切断する場合に操作部が対象部位と接触しにくい。
【００１１】
〔４〕前記電気式毛切断装置のアタッチメントの一例によれば、前記操作部は前記取付部に対して回転可能なリングを含む。リングを回転させることによりスライド部が取付部に対してスライドするため、ユーザが切断長さを調節しやすい。
【００１２】
〔５〕前記電気式毛切断装置のアタッチメントの一例によれば、前記リングの回転運動を前記スライド部の並進運動に変換する運動変換部をさらに含む。このため、スライド部が並進運動する方向に依存せずにリングの配置を設定できる。
【００１３】
〔６〕前記電気式毛切断装置のアタッチメントの一例によれば、前記運動変換部は螺旋状の溝と、前記溝内を移動できるように前記溝に挿入される凸部とを含み、前記螺旋状の溝および前記凸部の一方は前記リングの内周面に設けられ、前記螺旋状の溝および前記凸部の他方は前記スライド部の外面に設けられる。リングの回転量に対するスライド部の移動量が小さくなるため、ユーザが切断長さを微調整しやすい。
【００１４】
〔７〕前記電気式毛切断装置のアタッチメントの一例によれば、前記スライド部を支持可能な支持部をさらに含み、前記支持部は前記取付部と、前記固定刃および前記可動刃の長手方向に沿って前記固定刃および前記可動刃と相対的に移動することにより前記ヘッド部を前記取付部に挿入可能に設けられた開口部とを含む。このため、アタッチメントがヘッド部に容易に取り付けられる。
【００１５】
〔８〕前記電気式毛切断装置のアタッチメントの一例によれば、前記櫛は毛を立たせることができるように前記櫛の先端部に設けられた起毛部を含み、前記起毛部は前記櫛の根元側から前記櫛の先端側に向かうにつれて前記固定刃および前記可動刃に対して反対側に傾斜する斜面を含む。起毛部の斜面により毛が立たせられるため、毛を剃り残しにくい。
【００１６】
〔９〕前記電気式毛切断装置のアタッチメントの一例によれば、複数の前記櫛を含み、前記複数の櫛は、前記固定刃および前記可動刃の長手方向に整列し、前記固定刃および前記可動刃に対して一方の側部に設けられる第１櫛群と、前記固定刃および前記可動刃の長手方向に整列し、前記固定刃および前記可動刃に対して他方の側部に設けられる第２櫛群とを含み、前記第１櫛群に含まれる前記櫛の先端部と前記第２櫛群に含まれる前記櫛の先端部との間に前記固定刃および前記可動刃を配置可能である。第１櫛群に含まれる櫛の先端部と第２櫛群に含まれる櫛の先端部との間からも固定刃および可動刃に向けて毛が導入されるため、固定刃および可動刃によって毛が切断されやすい。
【００１７】
〔１０〕前記電気式毛切断装置のアタッチメントの一例によれば、複数の前記櫛を含み、前記複数の櫛は、前記固定刃および前記可動刃の長手方向に整列し、前記固定刃および前記可動刃に対して一方の側部に設けられる第１櫛群と、前記固定刃および前記可動刃の長手方向に整列し、前記固定刃および前記可動刃に対して他方の側部に設けられる第２櫛群と、前記固定刃および前記可動刃を覆うように前記第１櫛群に含まれる前記櫛の先端部と前記第２櫛群に含まれる前記櫛の先端部とを繋げる連結部とを含む。アタッチメントを接触させて対象部位の毛を切断する場合において対象部位と固定刃および可動刃との接触が連結部により妨げられるため、固定刃および可動刃が対象部位と接触しにくい。
【００１８】
〔１１〕前記電気式毛切断装置のアタッチメントの一例によれば、前記取付部は、髭および頭髪の切断に適した大きさを有する前記電気式毛切断装置の前記ヘッド部に取り付け可能である。このため、アタッチメントが装着された電気式毛切断装置を用いて髭および頭髪を切断しやすい。
【００１９】
（実施の形態）
図１は電気式毛切断装置１０およびアタッチメント５０の構成を示す。電気式毛切断装置１０は例えば髭および頭髪の切断に適した大きさを有する。電気式毛切断装置１０の一例はトリマーである。アタッチメント５０の機能は電気式毛切断装置１０により切断される毛の長さ（以下「切断長さ」）を調節することである。アタッチメント５０は電気式毛切断装置１０に装着可能である。図１はアタッチメント５０が電気式毛切断装置１０から取り外された状態を示す。
【００２０】
電気式毛切断装置１０はヘッド部２０およびグリップ部３０を含む。ヘッド部２０は刃ユニット２１および支持ユニット２７を含む。刃ユニット２１の機能は毛を切断することである。刃ユニット２１は支持ユニット２７に着脱可能に設けられる。刃ユニット２１は固定刃２２Ａおよび可動刃２３Ａを含む。支持ユニット２７の機能は刃ユニット２１を支持することである。一例では、支持ユニット２７は固定刃２２Ａの刃先および可動刃２３Ａの刃先がグリップ部３０の長手方向と交差する方向を向くように刃ユニット２１を支持している。グリップ部３０はユーザが片手でグリップできるように構成されている。グリップ部３０はヘッド部２０を支持している。一例では、グリップ部３０は支持ユニット２７と一体成形されている。
【００２１】
電気式毛切断装置１０は例えば固定刃２２Ａに対する可動刃２３Ａの移動方向と、グリップ部３０の長手方向とのなす角度が鋭角となるように構成されている。固定刃２２Ａに対する可動刃２３Ａの移動方向は固定刃２２Ａおよび可動刃２３Ａの長手方向に沿う。具体的には、電気式毛切断装置１０は可動刃２３Ａの移動方向に沿う第１仮想線Ｌ１と、グリップ部３０の長手方向に沿う第２仮想線Ｌ２とがなす角度Ａが鋭角となるように構成されている。角度Ａは電気式毛切断装置１０を用いて毛を切断するときの操作性に基づいて決められる。角度Ａに関する好ましい範囲の一例は４５°以下である。一例では、角度Ａは１０°である。電気式毛切断装置１０は固定刃２２Ａに対する可動刃２３Ａの移動方向と、グリップ部３０の長手方向とが平行となるように構成されてもよい。
【００２２】
図２に示されるように、電気式毛切断装置１０を構成する各種の要素は、グリップ部３０内および支持ユニット２７内に収容される。電気式毛切断装置１０は電気モータ４１、運動変換部４２、および、電源部４３をさらに含む。電気モータ４１は例えばグリップ部３０内に収容され、電源部４３と電気的に接続されている。運動変換部４２は例えばヘッド部２０の支持ユニット２７内に収容され、電気モータ４１の出力軸と結合されている。運動変換部４２の機能は電気モータ４１の出力軸の回転運動を並進運動に変換することである。電源部４３は例えばグリップ部３０内に収容され、電気モータ４１に電力を供給可能である。電源部４３は例えば一次電池または二次電池である。
【００２３】
図３に示されるように、刃ユニット２１は固定プレート２２、可動プレート２３、フレーム２４、保持プレート２５、および、ばね２６をさらに含む。固定プレート２２は複数の固定刃２２Ａを含む。可動プレート２３は複数の可動刃２３Ａを含む。固定プレート２２および可動プレート２３は互いに対向している。フレーム２４は固定プレート２２に対して可動プレート２３が配置される側とは反対側から固定プレート２２を支持し、固定プレート２２が位置ずれしないように固定プレート２２を保持している。保持プレート２５は可動プレート２３に対して固定プレート２２が配置される側とは反対側から可動プレート２３を支持し、可動プレート２３が位置ずれしないように可動プレート２３を保持している。ばね２６は例えばフレーム２４に取り付けられ、可動プレート２３を固定プレート２２に押し付けることにより固定刃２２Ａと可動刃２３Ａとを接触させている。ばね２６の一例はダブルトーションばねである。
【００２４】
保持プレート２５は接続部２５Ａを含む。接続部２５Ａは刃ユニット２１が支持ユニット２７（図２参照）に取り付けられた状態において運動変換部４２（図２参照）と接続される。電気モータ４１（図２参照）が駆動することにより運動変換部４２から刃ユニット２１の幅方向の力のみが接続部２５Ａに伝達され、可動プレート２３が保持プレート２５を介して刃ユニット２１の幅方向に往復運動する。このため、複数の可動刃２３Ａが複数の固定刃２２Ａに対して往復運動する。
【００２５】
図１に示されるように、電気式毛切断装置１０は電源スイッチ３１をさらに含む。電源スイッチ３１の機能は電気式毛切断装置１０の電源のオンおよびオフを切り替えることである。電源スイッチ３１は例えばグリップ部３０の正面３０Ａに設けられる。電源スイッチ３１がオンに設定されることにより電気モータ４１（図２参照）が駆動し、可動刃２３Ａが固定刃２２Ａに対して往復運動する。このため、固定刃２２Ａと可動刃２３Ａとの間に導入された毛が切断される。
【００２６】
図４を参照して、アタッチメント５０の構成について説明する。
アタッチメント５０は保持部材６０、スライド部７０、および、操作部８０を含む。保持部材６０の機能はスライド部７０および操作部８０を保持することである。スライド部７０および操作部８０が保持部材６０により保持されることによってアタッチメント５０が構成される。
【００２７】
保持部材６０は一対のケース６１および支持部６２を含む。一対のケース６１はアタッチメント５０の外郭を構成する。一対のケース６１は支持部６２に着脱可能であり、支持部６２の全体を覆うように支持部６２に取り付けられる。支持部６２の機能はスライド部７０を支持することである。支持部６２は第１支持部６３および第２支持部６９を含む。一例では、第１支持部６３は第２支持部６９と一体成形されている。
【００２８】
第１支持部６３は例えば一部の面が開口した概ね直方体形状である。第１支持部６３は一対の第１側壁６４、第２側壁６５、および、底壁６６を含む。一対の第１側壁６４は第１支持部６３の長手方向に沿う面を構成する。第２側壁６５は第１支持部６３の長手方向の面を構成し、一方の第１側壁６４と他方の第１側壁６４とを接続している。底壁６６は第１支持部６３の長手方向に沿う面を構成し、一方の第１側壁６４と他方の第１側壁６４とを接続している。
【００２９】
第１支持部６３は取付部６７および開口部６８をさらに含む。取付部６７は電気式毛切断装置１０のヘッド部２０（図１参照）を覆うようにヘッド部２０に取付可能である。取付部６７は第１支持部６３の内面に設けられる。一例では、取付部６７は一対の第１側壁６４の内面６４Ａ、第２側壁６５の内面６５Ａ、および、底壁６６の内面６６Ａにより構成される。
【００３０】
開口部６８は、第１支持部６３が固定刃２２Ａおよび可動刃２３Ａ（図１参照）の長手方向に沿って固定刃２２Ａおよび可動刃２３Ａと相対的に移動することによりヘッド部２０を取付部６７に挿入可能に設けられる。固定刃２２Ａおよび可動刃２３Ａの長手方向は第１支持部６３の長手方向に沿う。ヘッド部２０が開口部６８を介して取付部６７に挿入されることにより、アタッチメント５０がヘッド部２０に取り付けられる。このため、アタッチメント５０がヘッド部２０に容易に取り付けられる。開口部６８は第１開口部６８Ａおよび第２開口部６８Ｂを含む。第１開口部６８Ａは例えば第１支持部６３において第２側壁６５と対向している。第２開口部６８Ｂは例えば第１支持部６３において底壁６６と対向している。第１開口部６８Ａおよび第２開口部６８Ｂは互いに連続している。開口部６８は一対のケース６１およびスライド部７０が支持部６２に取り付けられた状態において露出する。
【００３１】
第１支持部６３は案内部６４Ｃおよび結合部６６Ｂをさらに含む。案内部６４Ｃの機能はヘッド部２０に対するアタッチメント５０の取り付けを案内することである。案内部６４Ｃは例えば一対の第１側壁６４のそれぞれの内面６４Ａに設けられる。案内部６４Ｃはヘッド部２０に設けられた溝２８（図１参照）に挿入可能である。一例では、案内部６４Ｃは第１支持部６３の長手方向に延びる凸部を構成する。ヘッド部２０の溝２８は例えば固定刃２２Ａおよび可動刃２３Ａの長手方向に延びるように支持ユニット２７のそれぞれの側面２７Ａに設けられる（図１参照）。案内部６４Ｃがヘッド部２０の溝２８に挿入されることによって、ヘッド部２０に対するアタッチメント５０の取り付けが案内される。
【００３２】
結合部６６Ｂの機能はアタッチメント５０とヘッド部２０とを結合することである。結合部６６Ｂは例えば底壁６６の内面６６Ａに設けられる。結合部６６Ｂは凹部６６Ｃを含む。凹部６６Ｃはヘッド部２０に設けられた凸部２９（図１参照）と嵌め合わせ可能である。ヘッド部２０の凸部２９は例えば支持ユニット２７の背面２７Ｂに設けられる。案内部６４Ｃがヘッド部２０の溝２８に挿入され、結合部６６Ｂの凹部６６Ｃがヘッド部２０の凸部２９と嵌め合わせられることによって、アタッチメント５０とヘッド部２０とが結合される。
【００３３】
第２支持部６９は例えば概ね円柱形状である。第２支持部６９は第１支持部６３の底壁６６と結合している。第２支持部６９の外周面６９Ａは操作部８０を保持可能に設けられる。第２支持部６９の外周面６９Ａは２つの支持面６９Ｂを含む。支持面６９Ｂはスライド部７０を支持する面である。一方の支持面６９Ｂは外周面６９Ａのうちの一方の第１側壁６４側に設けられる。他方の支持面（図示略）は外周面６９Ａのうちの他方の第１側壁６４側に設けられる。
【００３４】
スライド部７０は切断長さが変更されるように取付部６７に対してスライド可能な状態で取付部６７に取り付けられる。切断長さは固定刃２２Ａと可動刃２３Ａとの間に導入される毛の長さである。スライド部７０は複数の櫛７１および支持プレート７５を含む。櫛７１の機能は固定刃２２Ａと可動刃２３Ａとの間に毛を案内することである。複数の櫛７１は例えば支持プレート７５から延びるように支持プレート７５に設けられる。
【００３５】
支持プレート７５は保持部材６０の支持部６２を覆うように支持部６２に挿入可能である。支持プレート７５は一対の第１支持プレート７５Ａ、第２支持プレート７５Ｂ、第１挿入部７５Ｃ、および、第２挿入部７５Ｅを含む。一対の第１支持プレート７５Ａは第１側壁６４の外面６４Ｂを覆うことができるように設けられる。第２支持プレート７５Ｂは一方の第１支持プレート７５Ａと他方の第１支持プレート７５Ａとを接続し、第２側壁６５の外面（図示略）を覆うことができるように設けられる。複数の櫛７１は例えば一対の第１支持プレート７５Ａのそれぞれに設けられる。
【００３６】
第１挿入部７５Ｃは例えば一方の第１支持プレート７５Ａに形成され、第２支持部６９の一方の支持面６９Ｂに挿入可能に設けられる。第２挿入部７５Ｅは例えば他方の第１支持プレート７５Ａに形成され、第２支持部６９の他方の支持面に挿入可能に設けられる。支持プレート７５が支持部６２に挿入されることによって、スライド部７０が支持部６２に支持される。
【００３７】
操作部８０の機能はスライド部７０を取付部６７に対して移動させることである。操作部８０は例えば取付部６７に対して櫛７１とは反対側に設けられる。このため、アタッチメント５０が装着された電気式毛切断装置１０を用いて対象部位の毛を切断する場合に操作部８０が対象部位と接触しにくい。操作部８０はリング８１を含む。リング８１は取付部６７に対して回転可能である。一例では、リング８１は第２支持部６９に対して回転可能な状態で外周面６９Ａを覆うように第２支持部６９に取り付けられる。リング８１が回転することによりスライド部７０が取付部６７に対してスライドするため、ユーザが切断長さを調節しやすい。
【００３８】
アタッチメント５０は運動変換部９０をさらに含む。運動変換部９０の機能はリング８１の回転運動をスライド部７０の並進運動に変換することである。このため、スライド部７０が並進運動する方向に依存せずにリング８１の配置を設定できる。運動変換部９０は螺旋状の溝（以下「螺旋溝９１」）および凸部９２を含む。螺旋溝９１は例えばリング８１の内周面８１Ａに設けられる。
【００３９】
図５に示されるように、螺旋溝９１はリング８１の内周面８１Ａにおいて、リング８１の周方向に対して直交する方向（以下「直行方向」）に向けて螺旋状に延びている。取付部６７に対するスライド部７０（図４参照）の移動可能な量はリング８１の直行方向における螺旋溝９１の長さにより決められる。螺旋溝９１は複数のステップ部９１Ａおよび複数のスロープ部９１Ｂを含む。ステップ部９１Ａは螺旋溝９１のうちのリング８１の周方向に沿う部分を構成する。スロープ部９１Ｂは螺旋溝９１のうちのステップ部９１Ａに対して傾斜した部分を構成する。螺旋溝９１はリング８１の内周面８１Ａにおいてステップ部９１Ａとスロープ部９１Ｂとが交互に設けられることにより構成される。
【００４０】
図４に示されるように、凸部９２は例えばスライド部７０の外面に設けられる。一例では、凸部９２は第１挿入部７５Ｃの外面７５Ｄに設けられる。凸部９２は螺旋溝９１内を移動できるように螺旋溝９１に挿入される。具体的には、スライド部７０が支持部６２に支持されるように支持プレート７５が支持部６２に挿入され、凸部９２が螺旋溝９１に挿入されるように操作部８０が支持部６２に取り付けられる。リング８１の回転運動が螺旋溝９１内を移動する凸部９２によってスライド部７０の並進運動に変換されるため、リング８１の回転量に対するスライド部７０の移動量が小さくなる。このため、ユーザが切断長さを微調整しやすい。
【００４１】
アタッチメント５０は調節機構１００をさらに含む。調節機構１００の機能は取付部６７に対するスライド部７０の移動量を調節することである。調節機構１００は第１調節機構１０１および第２調節機構１０２を含む。第１調節機構１０１は例えば第２支持部６９の外周面６９Ａに設けられる。第２調節機構１０２は例えばリング８１の内周面８１Ａに設けられる。
【００４２】
図６に示されるように、第１調節機構１０１は第２支持部６９の外周面６９Ａに設けられた凹部６９Ｃに取り付けられる。第１調節機構１０１はクリックボタン１０１Ａおよび弾性部材１０１Ｃを含む。クリックボタン１０１Ａは例えば弾性部材１０１Ｃを介して凹部６９Ｃに取り付けられる。クリックボタン１０１Ａは凸部１０１Ｂを含む。一例では、クリックボタン１０１Ａは凸部１０１Ｂが外方に突出するように弾性部材１０１Ｃに取り付けられる。弾性部材１０１Ｃの機能はクリックボタン１０１Ａが外方に押されるようにクリックボタン１０１Ａに力を与えることである。弾性部材１０１Ｃは例えば凹部６９Ｃに圧入される。弾性部材１０１Ｃの一例はコイルばねである。
【００４３】
第２調節機構１０２は複数の凹部１０２Ａを含む。複数の凹部１０２Ａはリング８１の内周面８１Ａにおいてリング８１の周方向に連続して並べられる（図４参照）。クリックボタン１０１Ａは操作部８０が支持部６２に取り付けられた状態において、複数の凹部１０２Ａのうちの１つの凹部１０２Ａに嵌め込まれる。操作部８０の操作によりリング８１が回転することによって、クリックボタン１０１Ａが嵌め込まれる対象の凹部１０２Ａが変更される。このため、運動変換部９０の凸部９２が螺旋溝９１内を移動し、スライド部７０が取付部６７に対してリング８１の直行方向にスライドする。このように、クリックボタン１０１Ａが嵌め込まれる対象の凹部１０２Ａが変更されることによってスライド部７０の移動量が段階的に調節されるため、ユーザが切断長さを一層調節しやすい。また、クリックボタン１０１Ａが嵌め込まれる対象の凹部１０２Ａが変更される毎にクリックボタン１０１Ａと凹部１０２Ａとが接触し、その接触によってクリック音が発生する。
【００４４】
アタッチメント５０はねじ１１０をさらに含む。ねじ１１０の機能はアタッチメント５０を構成する各種の要素を固定することである。一例では、スライド部７０の支持プレート７５が支持部６２に挿入され、操作部８０が支持部６２に取り付けられ、一対のケース６１がスライド部７０および操作部８０を覆うように支持部６２に取り付けられる。そして、一対のケース６１が分離しないようにねじ１１０が挿入されることによりアタッチメント５０を構成する各種の要素が固定され、図６に示されるアタッチメント５０が構成される。操作部８０のリング８１はアタッチメント５０が構成された状態において、一対のケース６１に設けられた開口部６１Ａを介して外部に露出している。
【００４５】
アタッチメント５０は一対の排出口６１Ｂ（図１０参照）をさらに含む。一対の排出口６１Ｂは一方のケース６１と他方のケース６１との結合により形成され、アタッチメント５０内と外部とを連通している。電気式毛切断装置１０により切断された毛がアタッチメント５０内に入り込んだ場合、その毛は排出口６１Ｂを介して外部に排出される。
【００４６】
図７はアタッチメント５０が装着された電気式毛切断装置１０を示す。アタッチメント５０はヘッド部２０を覆うように電気式毛切断装置１０に取り付けられる。アタッチメント５０は切断長さが互いに異なる第１形態（図７参照）および第２形態（図９参照）のいずれかの形態を取り得る。第１形態は切断長さが最も長くなる状態である。第２形態は切断長さが第１形態よりも短くなる状態である。一例では、第２形態は切断長さが最も短くなる状態である。アタッチメント５０は操作部８０の操作によって第１形態および第２形態のいずれかの形態を取り得る。
【００４７】
アタッチメント５０の高さ方向および幅方向の寸法はヘッド部２０の大きさにより決められる。アタッチメント５０の高さ方向は、櫛７１が延びる方向およびリング８１の直行方向に沿う。アタッチメント５０の幅方向は、固定刃２２Ａに対する可動刃２３Ａの移動方向および刃ユニット２１の幅方向に沿う。アタッチメント５０の高さ方向および幅方向の寸法はその方向における最も長い寸法を示す。アタッチメント５０の高さ方向の寸法における好ましい範囲の一例は５．０〜１０．０ｃｍの範囲内である。一例では、アタッチメント５０の高さ方向の寸法は７．５ｃｍである。アタッチメント５０の高さ方向の寸法は第１形態におけるアタッチメント５０の高さ方向の寸法である。アタッチメント５０の幅方向の寸法における好ましい範囲の一例は３．０〜７．０ｃｍの範囲内である。一例では、アタッチメント５０の幅方向の寸法は５．０ｃｍである。
【００４８】
図８はアタッチメント５０が装着された電気式毛切断装置１０における固定刃２２Ａおよび可動刃２３Ａと櫛７１との関係を示す。
複数の櫛７１は第１櫛群７３および第２櫛群７４を含む（図４参照）。第１櫛群７３は固定刃２２Ａおよび可動刃２３Ａの長手方向に整列し、固定刃２２Ａおよび可動刃２３Ａに対して一方の側部に設けられる。第１櫛群７３に含まれる櫛７１は例えば刃ユニット２１の形状に沿うように固定刃２２Ａおよび可動刃２３Ａに向けて傾斜している。第１櫛群７３に含まれる櫛７１と櫛７１との間には第１スリット７３Ａが形成されている（図４参照）。第１櫛群７３に含まれる櫛７１の数の一例は７本である（図４参照）。第２櫛群７４は固定刃２２Ａおよび可動刃２３Ａの長手方向に整列し、固定刃２２Ａおよび可動刃２３Ａに対して他方の側部に設けられる。第２櫛群７４に含まれる櫛７１は例えば刃ユニット２１の形状に沿うように固定刃２２Ａおよび可動刃２３Ａに向けて傾斜している。第２櫛群７４に含まれる櫛７１と櫛７１との間には第２スリット７４Ａが形成されている（図４参照）。第２櫛群７４に含まれる櫛７１の数の一例は７本である（図４参照）。
【００４９】
固定刃２２Ａおよび可動刃２３Ａは例えばアタッチメント５０が電気式毛切断装置１０に装着された状態において、第１櫛群７３に含まれる櫛７１の先端部７２と第２櫛群７４に含まれる櫛７１の先端部７２との間に配置される。固定刃２２Ａおよび可動刃２３Ａは第１櫛群７３の第１スリット７３Ａ、第２櫛群７４の第２スリット７４Ａ、および、第１櫛群７３に含まれる櫛７１の先端部７２と第２櫛群７４に含まれる櫛７１の先端部７２との間から外部を臨む。このため、第１櫛群７３に含まれる櫛７１の先端部７２と第２櫛群７４に含まれる櫛７１の先端部７２との間からも固定刃２２Ａおよび可動刃２３Ａに向けて毛が導入され、固定刃２２Ａおよび可動刃２３Ａによって対象部位の毛が切断されやすい。
【００５０】
櫛７１は起毛部７２Ａを含む。起毛部７２Ａは対象部位の毛を立たせることができるように櫛７１の先端部７２に設けられる。起毛部７２Ａは斜面７２Ｂを含む。斜面７２Ｂは櫛７１の根元側から櫛７１の先端側に向かうにつれて固定刃２２Ａおよび可動刃２３Ａに対して反対側に傾斜している。このため、起毛部７２Ａの斜面７２Ｂにより毛が立ちやすくなり、対象部位の毛を剃り残しにくい。
【００５１】
図７および図９を参照して、アタッチメント５０が装着された電気式毛切断装置１０の使用形態の一例について説明する。
電気式毛切断装置１０は例えば第１使用形態（図７参照）または第２使用形態（図９参照）により使用される。第１使用形態は第１形態のアタッチメント５０が装着された状態である。第２使用形態は第２形態のアタッチメント５０が装着された状態である。電気式毛切断装置１０が使用される使用形態は、ユーザにより任意に選択される。
【００５２】
図７に示される第１使用形態では、アタッチメント５０の櫛７１の先端部７２と固定刃２２Ａの刃先および可動刃２３Ａの刃先とがアタッチメント５０の高さ方向において実質的に同じ位置を取る。電気式毛切断装置１０が第１使用形態で使用される場合、対象部位の毛が対象部位に実質的に残らないように対象部位の毛が切断される。
【００５３】
図９に示される第２使用形態では、アタッチメント５０の櫛７１の先端部７２と固定刃２２Ａの刃先および可動刃２３Ａの刃先とがアタッチメント５０の高さ方向において所定距離を取る。所定距離は操作部８０の操作に応じたスライド部７０の移動量に依存する。電気式毛切断装置１０が第２使用形態で使用される場合、所定距離と実質的に同じ長さの毛が対象部位に残されるように対象部位の毛が切断される。このため、対象部位の毛が一定の長さに整えられる。
【００５４】
図１０を参照して、電気式毛切断装置１０およびアタッチメント５０の使用方法の一例について説明する。
電気式毛切断装置１０は例えばユーザにより次のように使用される。始めに、アタッチメント５０が電気式毛切断装置１０のヘッド部２０に取り付けられる。次に、アタッチメント５０の操作部８０が操作され、スライド部７０を取付部６７（図４参照）に対してスライドさせることにより切断長さが調節される。アタッチメント５０がヘッド部２０に取り付けられた状態においてスライド部７０を取付部６７に対して移動させることができるため、ユーザが切断長さを容易に調節できる。このため、操作に関するユーザビリティが高められる。
【００５５】
次に、電気式毛切断装置１０の電源スイッチ３１（図１参照）が操作されることにより電気式毛切断装置１０の電源がオンに設定される。電気式毛切断装置１０の電源がオンに設定されることにより電気モータ４１（図２参照）が駆動し、可動刃２３Ａが固定刃２２Ａに対して往復運動し始める。そして、電気式毛切断装置１０のグリップ部３０を片手でグリップし、アタッチメント５０の櫛７１を肌と接触させて電気式毛切断装置１０を肌に沿って滑らせることにより、対象部位の毛の一例である髭が固定刃２２Ａおよび可動刃２３Ａによって切断される。図１０に示される例では、電気式毛切断装置１０は第１使用形態により使用されている。電気式毛切断装置１０はアタッチメント５０を装着せずに使用することもできる。
【００５６】
（変形例）
実施の形態に関する説明は本発明に関する電気式毛切断装置のアタッチメントが取り得る形態の例示であり、その形態を制限することを意図していない。本発明は実施の形態以外に例えば以下に示される実施の形態の変形例、および、相互に矛盾しない少なくとも２つの変形例が組み合わせられた形態を取り得る。
【００５７】
・アタッチメント５０の櫛７１の構成は任意に変更可能である。第１例では、図１１に示されるように、複数の櫛７１は連結部７２Ｃをさらに含む。連結部７２Ｃは固定刃２２Ａおよび可動刃２３Ａを覆うように第１櫛群７３に含まれる櫛７１の先端部７２と第２櫛群７４に含まれる櫛７１の先端部７２とを繋げている。アタッチメント５０を接触させて対象部位の毛を切断する場合において、対象部位と固定刃２２Ａおよび可動刃２３Ａとの接触が連結部７２Ｃにより妨げられる。このため、固定刃２２Ａおよび可動刃２３Ａが対象部位と接触しにくい。また、櫛７１の強度が高められる。第２例では、起毛部７２Ａの斜面７２Ｂが櫛７１から省略される。第３例では、起毛部７２Ａが櫛７１から省略される。第４例では、第１櫛群７３に含まれる櫛７１の数が１〜６本または８本以上である。第２櫛群７４に含まれる櫛７１の数は第１櫛群７３に含まれる櫛７１の数と同じであることが好ましい。
【００５８】
・アタッチメント５０における操作部８０の位置は任意に変更可能である。一例では、操作部８０はアタッチメント５０の一方のケース６１の外面に設けられる。この例によれば、開口部６８は取付部６７に対して櫛７１とは反対側に設けられてもよい。具体的には、開口部６８は、支持部６２がアタッチメント５０の高さ方向に沿って固定刃２２Ａおよび可動刃２３Ａと相対的に移動することによりヘッド部２０を取付部６７に挿入可能に設けられる形態を取り得る。
【００５９】
・運動変換部９０の螺旋溝９１と凸部９２との関係は任意に変更可能である。一例では、螺旋溝９１はスライド部７０の外面に設けられる。凸部９２はリング８１の内周面８１Ａに設けられる。
【００６０】
・アタッチメント５０は運動変換部９０を省略した形態を取り得る。一例では、スライド部７０は切断長さが変更されるように取付部６７に対して手動によりスライド可能な状態で取付部６７に取り付けられる。この例によれば、アタッチメント５０は操作部８０および調節機構１００の少なくとも一方を省略した形態を取り得る。
【００６１】
・アタッチメント５０の大きさは任意に変更可能である。一例では、アタッチメント５０の取付部６７は眉毛および睫毛の切断に適した大きさを有する電気式毛切断装置１０のヘッド部２０に取り付け可能である。
【産業上の利用可能性】
【００６２】
本発明に関する電気式毛切断装置のアタッチメントは、家庭用および業務用をはじめとする各種の電気式毛切断装置のアタッチメントに利用できる。
【符号の説明】
【００６３】
１０    ：電気式毛切断装置
２０    ：ヘッド部
２２Ａ  ：固定刃
２３Ａ  ：可動刃
３０    ：グリップ部
５０    ：アタッチメント
６２    ：支持部
６７    ：取付部
６８    ：開口部
７０    ：スライド部
７１    ：櫛
７２    ：先端部
７２Ａ  ：起毛部
７２Ｂ  ：斜面
７２Ｃ  ：連結部
７３    ：第１櫛群
７４    ：第２櫛群
７５Ｄ  ：外面
８０    ：操作部
８１    ：リング
８１Ａ  ：内周面
９０    ：運動変換部
９１    ：螺旋溝（螺旋状の溝）
９２    ：凸部
Ａ      ：角度
【図１】
2018117911.tif 000003
【図２】
2018117911.tif 000004
【図３】
2018117911.tif 000005
【図４】
2018117911.tif 000006
【図５】
2018117911.tif 000007
【図６】
2018117911.tif 000008
【図７】
2018117911.tif 000009
【図８】
2018117911.tif 000010
【図９】
2018117911.tif 000011
【図１０】
2018117911.tif 000012
【図１１】
2018117911.tif 000013